(57)【要約】【課題】スキップフロアの使用に伴う床面の振動を抑制することのできるスキップフロア構造を提供する。【解決手段】スキップフロア構造は、スキップフロア領域の外縁に沿って配置された外周梁２２ａと、基準よりも高い所定の剛性を有してスキップフロア領域に配置された床パネル３１とを備える。床パネル３１に作用する押し下げ荷重に対して、床パネル３１の外周梁２２ａに対向する端部が固定支持端として機能するように、床パネル３１の端部がパネル側ブラケット３５を介して外周梁２２ａに連結されている。パネル側ブラケット３５は、外周梁２２ａに連結されるとともに床パネル３１の外周梁２２ａに対向する端部を上下から挟持する挟持部を備える。【選択図】      図１
2010203131.tif 000002
【特許請求の範囲】
【請求項１】
スキップフロア領域に配置された梁と、所定の剛性を有して前記スキップフロア領域に配置された床パネルとを備えるスキップフロア構造であって、
前記床パネルに作用する押し下げ荷重に対して、前記床パネルの前記梁に対向する端部が固定支持端として機能するように前記床パネルの前記端部が前記梁に連結されていることを特徴とする建物のスキップフロア構造。
【請求項２】
スキップフロア領域に配置された梁と、所定の剛性を有して前記スキップフロア領域に配置された床パネルとを備えるスキップフロア構造であって、
前記梁に連結されるとともに、前記床パネルの前記梁に対向する端部を上下から挟持する挟持部を有する連結部材を備えることを特徴とする建物のスキップフロア構造。
【請求項３】
前記挟持部は、前記床パネルの前記梁に対向する端部に沿って延びていることを特徴とする請求項２に記載の建物のスキップフロア構造。
【請求項４】
前記梁は、スキップフロア領域の外縁に沿って配置された外周梁と、前記スキップフロア領域内に前記外周梁と並列に配置された中間梁とを含み、
複数の前記床パネルが前記外周梁と前記中間梁とに架け渡されていることを特徴とする請求項１〜３のいずれか１項に記載の建物のスキップフロア構造。
【請求項５】
前記床パネルはコンクリートパネルからなることを特徴とする請求項１〜４のいずれか１項に記載の建物のスキップフロア構造。
【請求項６】
スキップフロア構造はスキップフロアを吊り下げる吊床構造からなり、
前記スキップフロアの振動を抑制する制振機構を備えることを特徴とする請求項１〜５のいずれか１項に記載の建物のスキップフロア構造。
【請求項７】
前記制振機構は、前記スキップフロアを吊り下げる柱と建物の外壁との間に設けられた緩衝材であることを特徴とする請求項６項に記載の建物のスキップフロア構造。
【請求項８】
前記梁に連結されるとともに、前記床パネルの前記梁に対向する端部を上下から挟持する挟持部を有する連結部材を備え、
前記連結部材は、前記梁から分離可能であるとともに前記床パネルに一体化されていることを特徴とする請求項１〜７のいずれか１項に記載の建物のスキップフロア構造。
【請求項９】
前記梁に連結されるとともに、前記床パネルの前記梁に対向する端部を上下から挟持する挟持部を有する連結部材を備え、
前記連結部材は、前記梁に連結されるとともに前記床パネルの前記梁に対向する端部に上下のいずれかから当接する第１連結部材と、前記梁および前記床パネルから分離可能であるとともに前記床パネルの前記梁に対向する端部に前記第１連結部材とは反対側から当接する状態で前記梁に連結される第２連結部材とを有することを特徴とする請求項１〜７のいずれか１項に記載の建物のスキップフロア構造。
【発明の詳細な説明】
【技術分野】
【０００１】
本発明は、建物において半階ずらされた床（スキップフロア）を含むスキップフロア構造に関する。
【背景技術】
【０００２】
従来、建物において大梁とこれに平行に配置された床梁とにＡＬＣ（軽量気泡コンクリート）からなる床パネルを架け渡してその下面を支持し、この床パネルの上に載置された構造用合板を大梁、床梁及び床パネルに釘で固定したものがある（例えば、特許文献１参照）。この特許文献１に記載のものによれば、構造用合板が大梁、床梁及び床パネルに一体化されることで、構造用合板の面の広がり方向に沿って作用する面内剪断力に対して、構造用合板の剛性を高くすることができる。
【先行技術文献】
【特許文献】
【０００３】
【特許文献１】特開２０００−５４５４０号公報
【発明の概要】
【発明が解決しようとする課題】
【０００４】
ところで、スキップフロア構造では、スキップフロアを挟む上下の室内においてそれぞれの床面から天井面までの高さが低くなることを抑制するために、スキップフロアの床梁の高さ方向の幅が制限されることがある。このような場合には、スキップフロアの床梁の剛性を十分に高くすることができないといった問題が生じる。したがって、上記特許文献１の構造をスキップフロア構造に適用した場合には、スキップフロアの使用時に床梁の撓みが大きくなって、床面の振動が大きくなるおそれがある。なお、特許文献１に記載のものは、面内剪断力に対して構造用合板の剛性を高くすることはできるものの、スキップフロアの使用に伴う床面の振動を抑制する効果は限られている。
【０００５】
また、床梁を使用せずにスキップフロアの外周縁において床パネルの両端部を支持することも考えられるが、その場合であっても上記と同様の理由により床パネルの厚みが制限される。したがって、床パネルの剛性を十分に高くすることができず、スキップフロアの使用に伴う床面の振動が大きくなるおそれがある。
【０００６】
本発明は、上記実情に鑑みてなされたものであり、スキップフロアの使用に伴う床面の振動を抑制することのできるスキップフロア構造を提供することを主たる目的とするものである。
【課題を解決するための手段】
【０００７】
本発明は、上記課題を解決するために、以下の手段を採用した。
【０００８】
第１の発明は、スキップフロア領域に配置された梁と、所定の剛性を有して前記スキップフロア領域に配置された床パネルとを備えるスキップフロア構造であって、前記床パネルに作用する押し下げ荷重に対して、前記床パネルの前記梁に対向する端部が固定支持端として機能するように前記床パネルの前記端部が前記梁に連結されていることを特徴とする。
【０００９】
床パネルをその端部に沿って梁により支持する構造は、梁の延びる方向に垂直な断面で考慮すると図３（ａ）に示すようになる。この構造では、床パネルＰの両端部においてその下面が梁Ｂによってそれぞれ支持されている。この構造は、図３（ｂ）に示すような単純梁モデルに置き換えることができる。このため、床パネルＰに作用する押し下げ荷重Ｆに対して、床パネルＰの両端部は、単純梁モデルにおける単純支持端として機能する。すなわち、床パネルＰの両端部を支点とした床パネルＰの回転が許容されることとなる。なお、図３において、一点鎖線は荷重Ｆが作用していないときの梁の中心線を表しており、破線は荷重Ｆが作用して梁が撓んだときの梁の中心線を表している。
【００１０】
これに対して、第１の発明によれば、前記床パネルに作用する押し下げ荷重に対して、前記床パネルの前記梁に対向する端部が固定支持端として機能するように前記床パネルの前記端部が前記梁に連結されているため、この構造は図３（ｃ）に示す固定梁モデルとなる。固定梁モデルでは、梁の両端部を支点とした梁の回転が許容されないため、単純梁モデルよりも荷重Ｆに対する梁の撓みを小さくすることができる。そして、床パネルは所定の剛性を有しているため、床パネルに押し下げ荷重Ｆが作用したときに荷重Ｆに耐えることができる。その結果、スキップフロアの使用に伴う床面の振動を抑制することができる。なお、床パネルに必要な所定の剛性は、例えばＡＬＣ（軽量気泡コンクリート）パネルと同等の剛性を有していれば基準を満たすように設定することができる。
【００１１】
第２の発明は、スキップフロア領域に配置された梁と、所定の剛性を有して前記スキップフロア領域に配置された床パネルとを備えるスキップフロア構造であって、前記梁に連結されるとともに、前記床パネルの前記梁に対向する端部を上下から挟持する挟持部を有する連結部材備えることを特徴とする。
【００１２】
第２の発明によれば、前記梁に連結されるともに、前記床パネルの前記梁に対向する端部を上下から挟持する挟持部を有する連結部材備えるため、床パネルに押し下げ荷重が作用したときに、床パネルの梁に対向する端部は挟持部を押圧することとなり、この押圧する力は挟持部によって受け止められる。したがって、床パネルの梁に対向する端部は挟持部の間に保持されて動かないようになるため、この床パネルの端部を固定支持端として機能させることができる。よって、第１の発明と同様の作用効果を奏することができる。
【００１３】
第３の発明は、第２の発明において、前記挟持部は、前記床パネルの前記梁に対向する端部に沿って延びている構造であるため、挟持部によって床パネルの端部を広範囲にわたって挟持することができるとともに、床パネルの端部が挟持部を押圧したときにこれらの間に作用する圧力を低下させることができる。
【００１４】
スキップフロア構造では、スキップフロアを挟む上下の室内においてそれぞれの床面から天井面までの高さが低くなることを抑制するために、スキップフロア領域内に配置される中間梁は高さ方向の幅が制限されることがある。このため、中間梁の剛性を十分に高くすることができず、スキップフロアの使用に伴う床面の振動が大きくなるおそれがある。
【００１５】
この点、第４の発明は、第１〜第３のいずれかの発明を前提として、前記梁は、スキップフロア領域の外縁に沿って配置された外周梁と、前記スキップフロア領域内に前記外周梁と並列に配置された中間梁とを含み、複数の前記床パネルが前記外周梁と前記中間梁とに架け渡されている構造であるため、床パネルの外周梁に対向する端部と中間梁に対向する端部とを固定支持端として機能させることができる。その結果、中間梁の剛性を十分に高くすることができない場合であっても、スキップフロアの使用に伴う床面の振動を抑制することができる。
【００１６】
第５の発明は、第１〜第４のいずれかの発明において、前記床パネルはコンクリートパネルからなるため、床パネルに必要な剛性の基準を満たすことができる。なお、コンクリートパネルとしては、ＡＬＣパネルやＰＣ（プレキャストコンクリート）パネル等を採用することができる。
【００１７】
スキップフロア構造として、スキップフロアを吊り下げる吊床構造を採用した場合には、スキップフロアの下方に柱のない空間を形成することができる。しかしながら、このような吊床構造では、吊床の周囲が固定されていないため、吊床の振動が大きくなるおそれがある。
【００１８】
この点、第６の発明は、第１〜第５のいずれかの発明において、スキップフロア構造はスキップフロアを吊り下げる吊床構造からなり、前記スキップフロアの振動を抑制する制振機構を備えるため、スキップフロアの下方に柱のない空間を形成しつつ、スキップフロアの振動を抑制することができる。なお、制振機構は、スキップフロアの上下方向の振動や水平方向の振動等、いずれの方向の振動を抑制してもよい。
【００１９】
なお、前記制振機構として、前記スキップフロア内に設けられた制振ダンパを採用することにより、スキップフロア内で制振機構を実現することができ、スキップフロア構造と建物の構造体との関係を考慮する必要がなくなる。
【００２０】
また、第７の発明によるように、第６の発明において、前記制振機構は、前記スキップフロアを吊り下げる柱と建物の外壁との間に設けられた緩衝材であるといった構造により、スキップフロアの振動を抑制することもできる。このような構造によれば、スキップフロアの水平方向の振動を効果的に抑制することができる。
【００２１】
第８の発明は、第１〜第７のいずれかの発明において、前記梁に連結されるとともに、前記床パネルの前記梁に対向する端部を上下から挟持する挟持部を有する連結部材を備え、前記連結部材は、前記梁から分離可能であるとともに前記床パネルに一体化されているため、予め挟持部が組み付けられた状態の床パネルを梁に組み付けることができる。その結果、床パネル及び挟持部をアッセンブリにすることができるため、床パネルを効率的に設置することができる。
【００２２】
第９の発明は、第１〜第７のいずれかの発明において、前記梁に連結されるとともに、前記床パネルの前記梁に対向する端部を上下から挟持する挟持部を有する連結部材を備え、前記連結部材は、前記梁に連結されるとともに前記床パネルの前記梁に対向する端部に上下のいずれかから当接する第１連結部材と、前記梁および前記床パネルから分離可能であるとともに前記床パネルの前記梁に対向する端部に前記第１連結部材とは反対側から当接する状態で前記梁に連結される第２連結部材とを有することを特徴とする。
【００２３】
第９の発明によれば、第２連結部材を梁および床パネルから分離した状態において、床パネルの前記梁に対向する端部を第１連結部材に当接させるように床パネルを配置することができる。そして、梁に対向する端部に第１連結部材とは反対側から第２連結部材を当接させ、第２連結部材を梁に連結することにより、床パネルの梁に対向する端部を上下から挟持することができる。
【００２４】
このような構造によれば、床パネル及び連結部材のアッセンブリを配置することができない場合であっても、床パネルの梁に対向する端部を上下から挟持する挟持部を形成することができる。また、床パネルの梁に対向する端部を上下から挟持する挟持部を備えていない既設のスキップフロア構造に対して、第２連結部材を後から取り付けて挟持部を形成することができる。その結果、スキップフロアの使用に伴う床面の振動を抑制することができるように、既設のスキップフロア構造を改修することができる。
【図面の簡単な説明】
【００２５】
【図１】スキップフロア構造を示す縦断面図。
【図２】スキップフロア構造を示す縦断面図。
【図３】支持梁モデルを示す模式図。
【図４】スキップフロア構造を示す平面図。
【図５】床パネルの取付け部を示す分解断面図。
【図６】床パネルの取付け部を示す分解斜視図。
【図７】床パネルの取付け部の変形例を示す図。
【図８】スキップフロアの制振ダンパ及び緩衝材を示す縦断面図。
【発明を実施するための形態】
【００２６】
以下、建物のスキップフロア構造の一実施形態について、図面を参照しつつ説明する。本実施形態は、鉄骨軸組工法により構築された複数階の建物に具体化するものであり、建物の１階部分にスキップフロア（半階床）を設置する建物構造を採用している。
【００２７】
図１，２に示すように、建物は柱によって支持された梁１２ａ，１２ｂを備えている。梁１２ａ，１２ｂはＩ形鋼からなり、建物の１，2階の間の梁として設けられている。なお、図１は図４の１−１線断面図であり、図２は図４の２−２線断面図である。
【００２８】
複数の梁１２ａは並列に延びており、複数の梁１２ｂは梁１２ａと交差する方向へ並列に延びている。梁１２ａと梁１２ｂとは互いに連結されており、これらの梁１２ａ，１２ｂによって囲まれた領域が形成されている。梁１２ａ同士は平行に配置されており、梁１２ｂ同士も平行に配置されている。梁１２ａと梁１２ｂとは直交しており、梁１２ａ，１２ｂによって囲まれた領域は矩形状に形成されている。
【００２９】
この領域の上下の空間において、梁１２ａ，１２ｂと半階ずれた位置（ここでは下方に半階ずれた位置）にスキップフロア３０が設けられている。スキップフロア３０は、この領域と等しい面積で設けられている。なお、スキップフロア３０の設けられている領域をスキップフロア領域と称する。
【００３０】
図１，２を参照して、スキップフロア３０を含むスキップフロア構造について説明する。
【００３１】
建物において、梁１２ａ，１２ｂよりも下方が１階部分となっており、梁１２ａ，１２ｂよりも上方が２階部分となっている。
【００３２】
並列に延びる梁１２ａの間には、梁１２ａと同一方向に延びるように梁１３が配置されている。梁１３はＩ形鋼からなり、その両端部が梁１２ｂに連結されている。これらの梁１２ａ，１２ｂ，１３によって、ＡＬＣパネル等からなる２階の床パネル５１が支持されている。床パネル５１の上方には、２階居室５０が設けられている。
【００３３】
建物の１階部分において、中間の高さにスキップフロア３０が設けられている。スキップフロア３０の下方の空間にはガレージ６０が設けられており、スキップフロア３０の下部はガレージ６０の天井６１を構成している。また、スキップフロア３０の上方の空間にはスキップ収納室４０が設けられており、スキップフロア３０の上部はスキップ収納室４０の床４２を構成している。ここで、ガレージ６０の床から天井６１まで高さ、及びスキップ収納室４０の床４２から天井４３までの高さが低くなることを抑制するために、スキップフロア３０の高さ方向の幅が制限されている。
【００３４】
スキップフロア３０を含むスキップフロア構造は、スキップフロア３０を吊り下げる吊床構造からなる。スキップフロア３０は、梁１２ａ，１２ｂに連結された部材としての吊柱２１によって吊り下げられている。吊柱２１は角形鋼からなり、梁１２ａ，１２ｂの下部から下方に延びている。複数の吊柱２１は、スキップフロア領域を囲むように設けられており、これらの吊柱２１がスキップフロア３０の外縁部にそれぞれ連結されている。このように、スキップフロア３０は建物の梁１２ａ，１２ｂに連結されているため、スキップフロア３０を安定して吊り下げることができる。
【００３５】
スキップフロア３０は、スキップフロア領域の外縁に沿って配置された外周梁２２ａ，２２ｂを備えている。そして、これらの外周梁２２ａ，２２ｂと吊柱２１とが連結されている。具体的には、外周梁２２ａ，２２ｂはＨ形鋼からなり、Ｈ形鋼のウェブが上下に延びるように配置されている。外周梁２２ａ，２２ｂにおいて、Ｈ形鋼のウェブと吊柱２１の側面とが連結されている。Ｈ形鋼のウェブと吊柱２１の側面とは、上下方向の所定幅にわたって連結金具２４によって連結されている。このため、スキップフロア３０に押し下げ荷重が作用したときに、外周梁２２ａ，２２ｂと吊柱２１とが相対移動や相対回転しないようにすることができる。すなわち、連結金具２４を支点として外周梁２２ａ，２２ｂが回転しないようにすることができる。
【００３６】
スキップフロア領域内には、外周梁２２ａと並列に中間梁２３が配置されている。具体的には、中間梁２３は外周梁２２ａと平行に配置されており、両側に位置する外周梁２２ａまでのそれぞれの距離が等しくされている。中間梁２３はＨ形鋼からなり、Ｈ形鋼のウェブが上下に延びるように配置されている。外周梁２２ａ及び中間梁２３の両端部は、連結金具２５によって外周梁２２ｂに連結されている。
【００３７】
外周梁２２ａと中間梁２３とに、ＡＬＣパネルからなる複数の床パネル３１が架け渡されている。床パネル３１は、矩形状に形成されており、その長手方向の両端部が外周梁２２ａと中間梁２３とにそれぞれ連結されている。床パネル３１はＡＬＣパネルからなるため、スキップフロア３０の使用に伴う押し下げ荷重に対して、例えば木質系床材である合板材（パーティクルボード）を基準として、それよりも高い所定の剛性を有している。また、こうした基準を満たすその他のパネルとしては、ＰＣ（プレキャストコンクリート）パネル等を採用することができる。すなわち、スキップフロア３０の使用に伴う押し下げ荷重に対してＡＬＣパネル以上の剛性を有するパネルであれば、基準を満たすものとして採用することができる。
【００３８】
上述したように、スキップフロア３０の高さ方向の幅が制限されているため、外周梁２２ａ又は中間梁２３と床パネル３１とを取り付けたときの高さ方向の幅を狭くするように、床パネル３１は外周梁２２ａと中間梁２３との間に落とし込まれている。また、外周梁２２ａ及び中間梁２３は高さ方向の幅が制限されているため、外周梁２２ａ及び中間梁２３の剛性を十分に高くすることができない。
【００３９】
そこで、スキップフロア３０の使用に伴う床４２の振動を抑制するめために、床パネル３１に押し下げ荷重が作用したときに、床パネル３１の梁２２，２３に対向する端部が固定支持端として機能するように床パネル３１の端部が梁２２，２３にそれぞれ連結されている。以下に、こうした構造について図５，６を参照して詳細に説明する。なお、外周梁２２ａと床パネル３１とを連結する構造と、中間梁２３と床パネル３１とを連結する構造は同一であるため、外周梁２２ａと床パネル３１とを連結する構造を代表として説明する。
【００４０】
図５，図６に分解した状態を示すように、梁２２ａに設けられた梁側ブラケット２２ｄと、床パネル３１に組み付けられたパネル側ブラケット３５（連結部材）とが連結されることにより、床パネル３１が梁２２ａに連結されている。パネル側ブラケット３５は、複数の連結部３３を備えており、この連結部３３が梁側ブラケット２２ｄにそれぞれ連結されている。床パネル３１に押し下げ荷重が作用したときに、梁側ブラケット２２ｄと連結部３３とが相対回転することを防ぐために、梁側ブラケット２２ｄと連結部３３とは複数個所で連結されている。具体的には、梁側ブラケット２２ｄ及び連結部３３には、上下にずれた位置に貫通孔２２ｈ，３３ｈがそれぞれ形成されており、貫通孔２２ｈと貫通孔３３ｈとの位置を合わせてボルト及びナットにより締結されている。
【００４１】
パネル側ブラケット３５は、床パネル３１の梁２２ａに対向する端部を上下から挟持する挟持部３２を備えている。挟持部３２は、連結部３３と一体化されており、梁側ブラケット２２ｄを介して梁２２ａに連結されている。このため、挟持部３２と梁２２ａとは相対移動や相対回転しないように連結されている。
【００４２】
挟持部３２は、床パネル３１を挟持する一対のフランジ３２ｆを備えており、これらのフランジ３２ｆは床パネル３１の表面にそれぞれ当接している。フランジ３２ｆは、梁２２ａの長手方向に沿って延びている。換言すれば、挟持部３２は溝形状の鋼材からなり、一対のフランジ３２ｆの間に床パネル３１の梁２２ａに対向する端部が挿入されている。このため、挟持部３２は梁２２ａの長手方向に沿って延びる板状のフランジ３２ｆによって床パネル３１を挟持することとなる。したがって、フランジ３２ｆと床パネル３１との接触面積を大きくすることができ、フランジ３２ｆと床パネル３１との間に作用する圧力を低減することができる。したがって、床パネル３１に押し下げ荷重が作用したときに、床パネル３１が破損することを抑制することができる。特に、フランジ３２ｆは、床パネル３１の梁２２ａに対向する端部を全長にわたって挟持しているため、フランジ３２ｆと床パネル３１との間に作用する圧力を更に低減することができる。
【００４３】
床パネル３１の長手方向において、フランジ３２ｆは床パネル３１の梁２２ａに対向する端部と所定の重なり幅ｗを有している。そして、一対のフランジ３２ｆは、この重なり幅ｗにわたって床パネル３１の端部を挟持している。換言すれば、床パネル３１の長手方向において、床パネル３１は一対のフランジ３２ｆの間に重なり幅ｗとなるように挿入されている。このため、フランジ３２ｆと床パネル３１との接触面積を大きくすることができ、フランジ３２ｆと床パネル３１との間に作用する圧力を低減することがでる。その結果、床パネル３１に押し下げ荷重が作用したときに、床パネル３１が破損することを抑制することができる。
【００４４】
床パネル３１において外周梁２２ａ側の端面および中間梁２３側の端面は、挟持部３２の側面部３２ｗにそれぞれ当接している。このため、床パネル３１は、外周梁２２ａと中間梁２３との距離を小さくする方向の荷重を受け止めて、外周梁２２ａと中間梁２３との相対移動を抑制することができる。このため、外周梁２２ａと中間梁２３との相対移動を抑制するための梁を別途設ける必要がなくなる。なお、一対のフランジ３２ｆと床パネル３１とはビス３４によって締結されている。このため、一対のフランジ３２ｆと床パネル３１との相対移動を抑制することができるとともに、一対のフランジ３２ｆと床パネル３１との隙間を小さくすることができる。
【００４５】
パネル側ブラケット３５は、梁側ブラケット２２ｄとの連結部を分離することにより、梁２２ａから分離可能である。床パネル３１と梁２２ａとの組み付け手順は、床パネル３１とパネル側ブラケット３５とが予め一体に組み付けられてアッセンブリにされた後、そのアッセンブリが外周梁２２ａに組み付けられる。このため、床パネル３１と梁２２ａとの組み付け前に、床パネル３１とパネル側ブラケット３５とをアッセンブリにしておくことができる。
【００４６】
以上詳述した本実施形態によれば、以下の優れた効果が得られる。
【００４７】
床パネル３１に作用する押し下げ荷重に対して、床パネル３１の外周梁２２ａに対向する端部が固定支持端として機能するように床パネル３１の端部が外周梁２２ａに連結されているため、この構造は図３（ｃ）に示す固定梁モデルとなる。固定梁モデルでは、梁の両端部を支点とした梁の回転が許容されないため、図３（ｂ）に示す単純梁モデルよりも荷重Ｆに対する梁の撓みを小さくすることができる。そして、床パネル３１はＡＬＣパネルからなり、基準よりも高い所定の剛性を有しているため、床パネル３１に押し下げ荷重Ｆが作用したときに荷重Ｆに耐えることができる。その結果、スキップフロア３０の使用に伴う床面の振動を抑制することができる。
【００４８】
具体的には、外周梁２２ａに連結されるとともに、床パネル３１の外周梁２２ａに対向する端部を上下から挟持する挟持部３２を有するパネル側ブラケット３５が設けられている。挟持部３２の一対のフランジ３２ｆは床パネル３１の表面にそれぞれ当接しているため、床パネル３１を押し下げる荷重が作用したときに、床パネル３１の外周梁２２ａに対向する端部は一対のフランジ３２ｆを押圧することとなる。そして、この押圧する力は一対のフランジ３２ｆによって受け止められるため、床パネル３１の外周梁２２ａに対向する端部は一対のフランジ３２ｆの間に保持されて動かないようになる。その結果、床パネル３１に押し下げ荷重が作用したときに、床パネル３１の外周梁２２ａに対向する端部を固定支持端として機能させることができる。
【００４９】
挟持部３２は、床パネル３１の外周梁２２ａに対向する端部に沿って延びているため、挟持部３２によって床パネル３１の端部を広範囲にわたって挟持することができるとともに、床パネル３１の端部が挟持部３２を押圧したときにこれらの間に作用する圧力を低下させることができる。
【００５０】
スキップフロア３０を挟む上下の２階居室５０内およびガレージ６０内において、それぞれの床面から天井面までの高さが低くなることを抑制するために、スキップフロア領域内に配置される中間梁２３は高さ方向の幅が制限されている。このため、中間梁２３の剛性を十分に高くすることができず、スキップフロア３０の使用時に中間梁２３の撓みが大きくなって、スキップフロア３０の使用に伴う床面の振動が大きくなるおそれがある。この点、上記挟持部３２を含むパネル側ブラケット３５が外周梁２２ａ及び中間梁２３に連結されているため、床パネル３１の外周梁２２ａに対向する端部と中間梁２３に対向する端部とを固定支持端として機能させることができる。その結果、中間梁２３の剛性を十分に高くすることができない場合であっても、スキップフロア３０の使用に伴う床面の振動を抑制することができる。
【００５１】
床パネル３１はＡＬＣパネルからなるため、床パネル３１に必要な剛性の基準を満たすことができる。このため、床パネル３１の外周梁２２ａに対向する端部が挟持部３２によって固定された状態で床パネル３１に押し下げ荷重が作用したときに、床パネル３１はこの荷重に耐えることができる。
【００５２】
外周梁２２ａに連結されるとともに床パネル３１の外周梁２２ａに対向する端部を上下から挟持する挟持部３２を含むパネル側ブラケット３５を備え、パネル側ブラケット３５は、外周梁２２ａから分離可能であるとともに床パネル３１に一体化されている。このため、予めパネル側ブラケット３５が組み付けられた状態の床パネル３１を外周梁２２ａに組み付けることができる。その結果、床パネル３１及びパネル側ブラケット３５をアッセンブリにすることがでるため、床パネル３１を効率的に設置することができる。
【００５３】
上記実施形態に限定されず、例えば次のように実施することもできる。
【００５４】
上記実施形態では、一対のフランジ３２ｆは、床パネル３１の梁２２ａに対向する端部を全長にわたって挟持するようにしたが、床パネル３１の梁２２ａに対向する端部の一部を一対のフランジ３２ｆが挟持する構造であってもよい。
【００５５】
上記実施形態では、床パネル３１が外周梁２２ａと中間梁２３との間に落とし込まれているようにしたが、床パネル３１の一部又は全体が梁２２ａ，２３の表面よりも上方に位置するようにすることもできる。その場合であっても、床パネル３１の梁２２ａに対向する端部を挟持部３２によって上下から挟持するようにすればよい。
【００５６】
上記実施形態では、予めパネル側ブラケット３５が組み付けられた状態の床パネル３１を外周梁２２ａに組み付けるようにしたが、パネル側ブラケット３５を外周梁２２ａに連結した後に、床パネル３１をパネル側ブラケット３５に連結することもできる。また、パネル側ブラケット３５と梁側ブラケット２２ｄとを一体に形成することもできる。
【００５７】
また、図７に示すように、外周梁１２２ａ及びこれと並列に延びる中間梁にそれぞれ設けられた梁側ブラケット１３２に、床パネル１３１の長手方向の両端が掛け渡された状態において、パネル側ブラケット１３４を床パネル１３１及び外周梁１２２ａに組み付けるようにしてもよい。
【００５８】
具体的には、外周梁１２２ａに連結されるとともに床パネル１３１の外周梁１２２ａに対向する端部を上下から挟持する挟持部を有するパネル側ブラケット１３４及び梁側ブラケット１３２が設けられる。梁側ブラケット１３２（第１連結部材）は、床パネル１３１の外周梁１２２ａに対向する端部に下方から当接する当接部１３２ｂと、外周梁１２２ａに連結される連結部１３２ａとを備える。パネル側ブラケット１３４（第２連結部材）は、外周梁１２２ａおよび床パネル１３１から分離可能であるとともに、床パネル１３１の外周梁１２２ａに対向する端部に梁側ブラケット１３２の当接部１３２ｂとは反対側の上方から当接する当接部１３４ｂと、外周梁１２２ａに連結される連結部１３４ａとを備える。当接部１３４ｂは、連結部１３４ａを外周梁１２２ａに連結可能な状態に配置したときに、床パネル１３１に当接する状態となるように連結部１３４ａに一体化されている。
【００５９】
そして、図７に示すように、外周梁１２２ａと床パネル１３１との隙間から連結部１３４ａを挿入して、当接部１３４ｂが外周梁１２２ａから床パネル１３１の方向へ張出すように配置する。これにより、外周梁１２２ａに連結可能な状態に連結部１３４ａが配置されるとともに、当接部１３４ｂが床パネル１３１に当接した状態となる。その後、ボルト等によって連結部１３４ａを外周梁１２２ａに連結することにより、床パネル１３１の外周梁１２２ａ側の端部を梁側ブラケット１３２とパネル側ブラケット１３４とによって上下から挟持することができる。これらの床パネル１３１、梁側ブラケット１３２及びパネル側ブラケット１３４はビス３４によって締結される。
【００６０】
このような構造によれば、床パネルと挟持部とを組み付けたアッセンブリを配置することができない場合であっても、床パネル１３１の外周梁１２２ａに対向する端部を上下から挟持する挟持部を、パネル側ブラケット１３４及び梁側ブラケット１３２によって形成することができる。なお、パネル側ブラケット１３４及び床パネル１３１を外周梁１２２ａに連結した後に、梁側ブラケット１３２を外周梁１２２ａに連結することもできる。また、床パネルの外周梁側に対向する端部を上下から挟持する挟持部を備えていない既設のスキップフロア構造に対して、パネル側ブラケット１３４を後から取り付けて挟持部を形成することもできる。その結果、スキップフロアの使用に伴う床面の振動を抑制することができるように、既設のスキップフロア構造を改修することができる。
【００６１】
スキップフロア構造として、スキップフロア３０を吊り下げる吊床構造を採用した場合には、スキップフロア３０の下方に柱のない空間を形成することができる。しかしながら、このような吊床構造では、スキップフロア３０の周囲が固定されていないため、スキップフロア３０の振動が大きくなるおそれがある。
【００６２】
この点、図８に示すように、スキップフロア３０を吊り下げる吊床構造からなるスキップフロア構造に対して、スキップフロア３０の振動を抑制する制振機構としての制振ダンパ２１０や緩衝材２２０を備えるようにしてもよい。このような構造によれば、スキップフロア３０の下方に柱のない空間を形成しつつ、スキップフロア３０の振動を抑制することができる。なお、制振機構は、スキップフロア３０の上下方向の振動や水平方向の振動等、いずれの方向の振動を抑制するものでもよい。
【００６３】
ここでは、制振ダンパ２１０は、内部に設けられた粘弾性の流体の流動抵抗に基づいて、スキップフロア３０の上下方向の振動を抑制する。制振ダンパ２１０は、スキップフロア３０内に収められるように、床パネル３１とガレージ６０の天井６１との間に設けられている。このため、スキップフロア構造と建物の構造体との関係を考慮する必要がなくなる。また、緩衝材２２０は、スキップフロア３０を吊り下げる吊柱２１と建物の外壁７１との間に設けられており、荷重に応じて弾性変形することによりスキップフロア３０の水平方向の振動を抑制する。
【００６４】
上記実施形態では、梁１２ａ，１２ｂによって囲まれた領域と等しい面積のスキップフロア３０を設けるようしたが、この領域よりも狭い面積のスキップフロア３０を設けることもできる。その場合であっても、外周梁２２ａと中間梁２３とに床パネル３１が掛け渡される構造であれば、上記実施形態と同様の作用効果を奏することができる。また、スキップフロア３０に中間梁２３が存在せず、並列に延びる外周梁２２ａに床パネル３１の両端が掛け渡される構造であってもよい。この場合であっても、床パネル３１に作用する押し下げ荷重に対して、床パネル３１の外周梁２２ａに対向する端部が固定支持端として機能する固定梁モデルとすることにより、床パネル３１の外周梁２２ａに対向する端部が単純支持端として機能する単純梁モデルよりも荷重に対する梁の撓みを小さくすることができる。その結果、スキップフロアの使用に伴う床面の振動を抑制することができる。
【００６５】
上記実施形態では、梁１２ａ，１２ｂは、建物の１，2階の間の梁として設けられていたが、１階建ての建物の天井梁や、２，３階の間の梁等、その他の梁であってもよい。その場合であっても、梁１２ａ，１２ｂからスキップフロア３０を吊り下げることができる
上記実施形態では、吊床構造からなるスキップフロア３０を梁１２ａ，１２ｂよりも下方に設けるようにしたが、柱によって支持されたスキップフロア３０を梁１２ａ，１２ｂよりも下方に設けることもできる。この場合は、スキップフロア領域の外縁に沿って配置された外周梁２２ａ，２２ｂを柱によって支持するようにすればよい。
【符号の説明】
【００６６】
２２ａ…外周梁、３１…床パネル、３５…パネル側ブラケット３５。
【図１】
2010203131.tif 000003
【図２】
2010203131.tif 000004
【図３】
2010203131.tif 000005
【図４】
2010203131.tif 000006
【図５】
2010203131.tif 000007
【図６】
2010203131.tif 000008
【図７】
2010203131.tif 000009
【図８】
2010203131.tif 000010